(57)【特許請求の範囲】
【請求項１】
操作スイッチの操作により駆動される窓ガラスへの異物の巻き込み防止可能なパワーウインドウ装置であって、
前記窓ガラスを開閉駆動する駆動手段と、該駆動手段の作動を制御する制御手段と、前記駆動手段によって開閉駆動される窓ガラスの移動に応じた速度検出信号を出力する移動速度検出手段と、前記速度検出信号に基づいて窓ガラスの異物の巻き込みを検出する巻き込み検出手段と、を備え、
前記巻き込み検出手段は、前記速度検出信号に基づいて窓ガラスの下降速度の変化量を算出し、算出された変化量に基づいた値と巻き込み判定しきい値との比較結果によって前記窓ガラスによる異物の巻き込みを確定し、
前記制御手段は、前記巻き込み検出手段が異物の巻き込みを確定したときに、前記窓ガラスの異物の巻き込みの進行を止める作動をするように前記駆動手段への電力供給を制御するものであって、異物の巻き込み確定時の前記窓ガラスの位置に応じて前記窓ガラスが上昇又は停止するよう前記駆動手段への電力供給を制御することを特徴とするパワーウインドウ装置。
【請求項２】
前記制御手段は、異物の巻き込み確定時に前記窓ガラスが予め設定された所定位置よりも全開位置側に位置している場合、前記窓ガラスを開放開始位置又は所定距離まで作動させるために、前記駆動手段への電力供給を制御することを特徴とする請求項１記載のパワーウインドウ装置。
【請求項３】
前記制御手段は、異物の巻き込み確定時に前記窓ガラスが予め設定された所定位置よりも全閉位置側に位置している場合、前記窓ガラスの移動を停止するために、前記駆動手段への電力供給を制御することを特徴とする請求項１記載のパワーウインドウ装置。
【請求項４】
前記制御手段は、前記電力供給が停止された後、前記操作スイッチに窓ガラスを開放方向に作動させる操作がなされると、前記窓ガラスが開放方向へ作動するように前記駆動手段への電力供給を制御することを特徴とする請求項２記載のパワーウインドウ装置。
【請求項５】
前記制御手段は、前記巻き込み検出手段が異物の巻き込みを確定した場合、前記駆動手段への電力供給を停止する制御を行うことを特徴とする請求項１記載のパワーウインドウ装置。
【請求項６】
前記制御手段は、前記巻き込み検出手段が異物の巻き込みを確定した場合、前記窓ガラスが所定量上昇するよう前記駆動手段への電力供給を制御することを特徴とする請求項１記載のパワーウインドウ装置。
【請求項７】
窓ガラスを開閉駆動する駆動手段と、該駆動手段の作動を制御する制御手段と、前記駆動手段によって開閉駆動される窓ガラスの移動に応じた速度検出信号を出力する移動速度検出手段と、前記速度検出信号に基づいて窓ガラスの異物の巻き込みを検出する巻き込み検出手段と、を備え、操作スイッチの操作により駆動される窓ガラスへの異物の巻き込み防止可能なパワーウインドウ装置の制御方法であって、
前記速度検出信号に基づいて窓ガラスの下降速度の変化量を算出する第１ステップと、
前記第１ステップによって算出された前記下降速度の変化量に基づいて所定の演算を行う第２ステップと、
前記第２ステップで演算した演算結果と巻き込み判定しきい値との比較結果に基づいて前記窓ガラスによる異物の巻き込みを確定する第３ステップと、
前記第３ステップで異物の巻き込みを確定したときに、前記窓ガラスの異物の巻き込みの進行を止める作動をするように前記駆動手段への電力供給を制御する第４ステップと、を備え、
前記第４ステップで行う前記駆動手段への電力供給の制御は、異物の巻き込み確定時の前記窓ガラスの位置に応じて前記窓ガラスを上昇又は停止させることを特徴とするパワーウインドウ装置の制御方法。
【請求項８】
前記第４ステップで行う前記駆動手段への電力供給の制御は、異物の巻き込み確定時に前記窓ガラスが予め設定された所定位置よりも全開位置側に位置している場合、前記窓ガラスを開放開始位置又は所定距離まで作動させることを特徴とする請求項７記載のパワーウインドウ装置の制御方法。
【請求項９】
前記第４ステップで行う前記駆動手段への電力供給の制御は、異物の巻き込み確定時に前記窓ガラスが予め設定された所定位置よりも全閉位置側に位置している場合、前記窓ガラスの移動を停止させることを特徴とする請求項７記載のパワーウインドウ装置の制御方法。
【請求項１０】
前記第４ステップで行う前記駆動手段への電力供給の制御は、前記電力供給が停止された後、前記操作スイッチに窓ガラスを開放方向に作動させる操作がなされると、前記窓ガラスを開放方向へ作動させることを特徴とする請求項９記載のパワーウインドウ装置の制御方法。
【請求項１１】
前記第４ステップで行う前記駆動手段への電力供給の制御は、前記駆動手段への電力供給を停止させることを特徴とする請求項７記載のパワーウインドウ装置の制御方法。
【請求項１２】
前記第４ステップで行う前記駆動手段への電力供給の制御は、前記窓ガラスを所定量上昇させることを特徴とする請求項７記載のパワーウインドウ装置の制御方法。
【発明の詳細な説明】
【技術分野】
【０００１】
本発明はパワーウインドウ装置及びその制御方法に係り、特に、車両の窓ガラスを開ける（つまり、窓ガラスを下降させる）方向に作動させるときに、異物が窓ガラスとベルトモールとの間に巻き込まれる巻き込みを検出可能なパワーウインドウ装置及びその制御方法に関する。
【背景技術】
【０００２】
従来、異物の挟み込み防止機能を備えた車両のパワーウインドウ装置において、窓ガラスを閉じる（つまり、窓ガラスを上昇させる）ときの挟み込み防止に関するものは、多数存在する（例えば、特許文献１参照）。
すなわち、従来のパワーウインドウ装置などの制御装置には閉作動時に異物が挟まれた時に挟み込みを検知し、モータを逆転駆動させることにより窓ガラスを反転作動させる挟み込み防止機能が備わっている。
【先行技術文献】
【特許文献】
【０００３】
【特許文献１】特開２００７−９５７３号公報（第４頁、図４）
【発明の概要】
【発明が解決しようとする課題】
【０００４】
しかしながら、窓ガラスの開作動時には、巻き込み防止機能が備わっていないため、ベルトモール自体が窓ガラスによって巻き込まれるとモータに通常よりも大きな負荷が加わり、そのまま使い続けるとモータにダメージを与えて異音が発生したり作動速度が遅くなるという問題点があった。またベルトモールと窓ガラスの間に異物が巻き込まれた場合、この異物が損傷してしまうという問題点があった。
【０００５】
一方、窓ガラスとベルトモールとの間で巻き込み状態となったときに、窓ガラスを単純に上昇させると、通常の窓枠上部と窓ガラスとの間の挟み込みが発生してしまうという不都合があった。
【０００６】
本発明の目的は、窓ガラスが開放方向へ作動中に異物の巻き込みを検出した場合、異物の巻き込みに対する対応作動が可能なパワーウインドウ装置及びその制御方法を提供することにある。
また、本発明の他の目的は、窓ガラスの異物の巻き込みを検出したときの窓ガラスの位置に応じて、巻き込みに対する適切な対応作動が可能なパワーウインドウ装置及びその制御方法を提供することにある。
【課題を解決するための手段】
【０００７】
前記課題は、本発明のパワーウインドウ装置によれば、操作スイッチの操作により駆動される窓ガラスへの異物の巻き込み防止可能なパワーウインドウ装置であって、前記窓ガラスを開閉駆動する駆動手段と、該駆動手段の作動を制御する制御手段と、前記駆動手段によって開閉駆動される窓ガラスの移動に応じた速度検出信号を出力する移動速度検出手段と、前記速度検出信号に基づいて窓ガラスの異物の巻き込みを検出する巻き込み検出手段と、を備え、前記巻き込み検出手段は、前記速度検出信号に基づいて窓ガラスの下降速度の変化量を算出し、算出された変化量に基づいた値と巻き込み判定しきい値との比較結果によって前記窓ガラスによる異物の巻き込みを確定し、前記制御手段は、前記巻き込み検出手段が異物の巻き込みを確定したときに、前記窓ガラスの異物の巻き込みの進行を止める作動をするように前記駆動手段への電力供給を制御するものであって、異物の巻き込み確定時の前記窓ガラスの位置に応じて前記窓ガラスが上昇又は停止するよう前記駆動手段への電力供給を制御することを特徴とすること、により解決される。
【０００８】
このように本発明では、窓ガラスの下降速度の変化量に基づいて異物の巻き込みを確定したときに、異物の巻き込みの進行を止める作動をするように前記駆動手段への電力供給を制御しているので、窓ガラスの開（下降）作動時の異物の巻き込みの進行を止めることが可能となる。
【０００９】
このとき、前記制御手段は、異物の巻き込み確定時の前記窓ガラスの位置に応じて前記窓ガラスが上昇又は停止するよう前記駆動手段への電力供給を制御すると好適である。このように、窓ガラスの位置に応じて異物の巻き込みの進行を止める作動をするため、窓ガラスの位置に応じた有効な巻き込み対応が行え、同時に窓ガラス上昇時における窓ガラスと窓枠上部との挟み込みを効果的に防止することが可能となる。
【００１０】
また前記制御手段は、異物の巻き込み確定時に前記窓ガラスが予め設定された所定位置よりも全開位置側に位置している場合、前記窓ガラスを開放開始位置又は所定距離まで作動させるために、前記駆動手段への電力供給を制御するように構成すると好適である。
このように、窓ガラスが予め設定された所定位置よりも全開位置側に位置している場合は、窓ガラスと窓枠との間に距離があるため、窓ガラス上昇によって窓ガラスと窓枠上部との挟み込みが生じる虞がないために、挟み込みが生じない範囲まで窓ガラスを作動させるように制御できる。また、窓ガラスを開放開始位置又は所定距離まで作動させることにより、所定距離に到達していない場合でも開放開始位置に到達した場合は窓ガラスの作動を停止することで、より安全性を確保できる。
【００１１】
さらに前記制御手段は、異物の巻き込み確定時に前記窓ガラスが予め設定された所定位置よりも全閉位置側に位置している場合、前記窓ガラスの移動を停止するために、前記駆動手段への電力供給を制御すると好適である。このように、窓ガラスが予め設定された所定位置よりも全閉位置側に位置している場合、窓ガラスと窓枠との間の距離が小さいため、停止制御することにより、巻き込みの進行を阻止できるとともに、窓ガラスの上昇により生じる虞がある窓ガラスと窓枠との間の挟み込みを防止することができる。
【００１２】
さらに、前記制御手段は、前記電力供給が停止された後、前記操作スイッチに窓ガラスを開放方向に作動させる操作がなされると、前記窓ガラスが開放方向へ作動するように前記駆動手段への電力供給を制御すると好適である。
このような構成により、電力供給が停止されて窓ガラスが停止した後に、再度、操作スイッチが窓ガラスを開放方向に作動させるよう操作されたときには、操作者が巻き込みの有無を確認したものとして、前記窓ガラスを開放方向へ作動させるようにすることができる。
【００１３】
また、前記制御手段は、前記巻き込み検出手段が異物の巻き込みを確定した場合、前記駆動手段への電力供給を停止する制御を行うと好適である。この場合、窓ガラスの位置に関係なく、窓ガラスが停止するので、窓ガラスの巻き込みを停止できる。
さらに、前記制御手段は、前記巻き込み検出手段が異物の巻き込みを確定した場合、前記窓ガラスが所定量上昇するよう前記駆動手段への電力供給を制御すると好適である。この場合、窓ガラスの位置に関係なく、窓ガラスが所定量上昇するので、巻き込みを排出すことが可能となる。
【００１４】
また、前記課題は、本発明のパワーウインドウ装置の制御方法によれば、窓ガラスを開閉駆動する駆動手段と、該駆動手段の作動を制御する制御手段と、前記駆動手段によって開閉駆動される窓ガラスの移動に応じた速度検出信号を出力する移動速度検出手段と、前記速度検出信号に基づいて窓ガラスの異物の巻き込みを検出する巻き込み検出手段と、を備え、操作スイッチの操作により駆動される窓ガラスへの異物の巻き込み防止可能なパワーウインドウ装置の制御方法であって、前記速度検出信号に基づいて窓ガラス下降速度の変化量を算出する第１ステップと、前記第１ステップによって算出された前記下降速度の変化量に基づいて所定の演算を行う第２ステップと、前記第２ステップで演算した演算結果と巻き込み判定しきい値との比較結果に基づいて前記窓ガラスによる異物の巻き込みを確定する第３ステップと、前記第３ステップで異物の巻き込みを確定したときに、前記窓ガラスの異物の巻き込みの進行を止める作動をするように前記駆動手段への電力供給を制御する第４ステップと、を備えたことにより解決される。
【００１５】
また前記第４ステップで行う前記駆動手段への電力供給の制御については、以下の制御を行うと好適である。すなわち、
異物の巻き込み確定時の前記窓ガラスの位置に応じて前記窓ガラスを上昇又は停止させるようにする。異物の巻き込み確定時に前記窓ガラスが予め設定された所定位置よりも全開位置側に位置している場合、前記窓ガラスを開放開始位置又は所定距離まで作動させるようにする。異物の巻き込み確定時に前記窓ガラスが予め設定された所定位置よりも全閉位置側に位置している場合、前記窓ガラスの移動を停止させるようにする。前記電力供給が停止された後、前記操作スイッチに窓ガラスを開放方向に作動させる操作がなされると、前記窓ガラスを開放方向へ作動させる。前記駆動手段への電力供給を停止させる。前記窓ガラスを所定量上昇させる。
このような制御方法によれば、前記したパワーウインドウ装置を好適に制御することが可能となる。
【発明の効果】
【００１６】
本発明のパワーウインドウ装置及びその制御方法によれば、窓ガラスの開作動時に異物などが巻き込まれた場合に、異物の巻き込みの進行を止める作動をするために前記駆動手段への電力供給を制御しているので、異物の巻き込みの進行を止めることが可能となる。
また異物の巻き込みの進行を止める作動として、窓ガラスを停止または反転上昇させることにより異物などが損傷することを防止することが可能となる。また同時に、窓ガラスの開作動時に、ベルトモール自体が巻き込まれた場合において、窓ガラスを停止または反転上昇させることにより、ユーザにシステムの異常を気づかせベルトモール交換等を促すことによりシステムの更なる異常（異音発生・作動速度低下等）を未然に防止することができる。
また、異物の巻き込みを検出（確定）したときの窓ガラスの位置に応じて窓ガラスを上昇若しくは停止させるため、窓ガラスの位置に応じた有効な巻き込み対応が可能であると共に、巻き込みを検出して窓ガラスを上昇させた場合においても、窓ガラスと窓枠との間での挟み込みが生じるのを効果的に防ぐことが可能となる。
【図面の簡単な説明】
【００１７】
【図１】本発明の一実施形態に係るパワーウインドウ装置の説明図である。
【図２】図１のパワーウインドウ装置の電気構成図である。
【図３】図１のIII−IIIによる断面説明図である。
【図４】巻き込み判定処理の説明図である。
【図５】巻き込み判定の処理フロー図である。
【図６】外乱が生じたときの回転速度差の説明図である。
【図７】巻き込み解除処理の処理フロー図である。
【発明を実施するための形態】
【００１８】
以下、本発明の一実施形態について、図を参照して説明する。なお、以下に説明する構成、手順等は、本発明を限定するものではなく、本発明の趣旨に沿って各種改変することができることは勿論である。
図１〜図７は本発明の一実施形態に係るものであり、図１はパワーウインドウ装置の説明図、図２は図１のパワーウインドウ装置の電気構成図、図３は図１のIII−IIIによる断面説明図、図４は巻き込み判定処理の説明図、図５は巻き込み判定の処理フロー図、図６は外乱が生じたときの回転速度差の説明図、図７は巻き込み解除処理の処理フロー図である。
【００１９】
以下に、本発明のパワーウインドウ装置の一実施形態について説明する。
図１に本実施形態のパワーウインドウ装置１（以下、「装置１」という）の説明図、図２にその電気構成図、図３に図１のIII−IIIによる断面説明図を示す。本実施形態の装置１は、車両のドア１０に配設される窓ガラス１１を、駆動手段２の一部を構成するモータ２０の回転駆動により昇降（開閉）作動させるものである。装置１は、窓ガラス１１を開閉駆動する駆動手段２と、駆動手段２の作動を制御するための制御手段３と、乗員が作動を指令するための操作スイッチ４とを主要構成要素としている。
【００２０】
ドア１０は、その下側部位の車両外部側（車幅方向外側）に配設されたアウタパネル１５と車室側（車幅方向内側）に配設されたインナパネル１６の間に、下降した窓ガラス１１を収納する収納空間を有している。また、ドア１０の上部には窓枠（ガラス枠）１２が設けられており、窓ガラス１１は、上記収納空間内から窓枠１２の下枠部分を越えて窓枠１２内に出現し、昇降作動する。
【００２１】
窓枠１２の下枠部分には、シール部材としてのベルトモール（ベルトモールディング）１３，１４が装着されている。ベルトモールはアウタモール１３とインナモール１４からなり、アウタモール１３はアウタパネル１５の上部に固定され、インナモール１４はインナパネル１６の上部に固定されている。
【００２２】
窓ガラス１１は、アウタモール１３とインナモール１４との隙間を通過して窓枠１２内を昇降作動する。アウタモール１３とインナモール１４には、それぞれ窓ガラス１１側に突出するシール突起１３ａ，１３ｂ，１４ａ，１４ｂが形成されており、このシール突起１３ａ，１３ｂ，１４ａ，１４ｂが窓ガラス１１のガラス表面に弾性的に圧接するようになっている。
【００２３】
また、窓枠１２の上枠部分には、同様にシール部材として不図示のウェザストリップ（アッパーモールディング）が装着されている。ウェザストリップは、その下端部分に下方に開口した溝が形成されている。この溝は窓ガラス１１の上端を所定の長さ分だけ挿入可能に形成されており、その溝内壁には、挿入された窓ガラス１１の上端部分のガラス表面が弾性的に圧接するようになっている。
【００２４】
本実施形態では、窓ガラス１１は不図示のレールに沿って上方の全閉位置（上端）Ｘ１と下方の全開位置（下端）Ｘ２との間で昇降動作する。
本実施形態の駆動手段２は、ドア１０に固定された減速機構を有するモータ２０と、モータ２０に駆動される扇形状のギヤ２１ａを備えた昇降アーム２１と、昇降アーム２１とクロスして枢支される従動アーム２２と、ドア１０に固定された固定チャンネル２３及び窓ガラス１１と一体のガラス側チャンネル２４とを主要構成要素としている。昇降アーム２１，従動アーム２２，固定チャンネル２３及びガラス側チャンネル２４により、駆動手段２の駆動機構が構成されている。
【００２５】
本実施形態のモータ２０は、制御手段３から電力供給を受けることにより、回転子の巻線に通電され、これにより回転子とマグネットを有する固定子との間で磁気吸引作用が生じて回転子が正逆回転するように構成されている。本実施形態の駆動手段２では、モータ２０の回動に応じて昇降アーム２１及び従動アーム２２が揺動すると、これらの各端部がチャンネル２３，２４により摺動規制を受け、Ｘリンクとして駆動し、窓ガラス１１を昇降作動させる。
【００２６】
本実施形態のモータ２０には、移動速度検出手段としての回転検出装置２７が一体に備えられている。回転検出装置２７は、モータ２０の回転と同期したパルス信号（速度検出信号）を制御手段３へ出力するものである。本実施形態の回転検出装置２７は、モータ２０の出力軸と共に回動するマグネットの磁気変化を複数のホール素子で検出するように構成されている。このような構成により、回転検出装置２７は、モータ２０の回転に同期したパルス信号を出力する。すなわち、パルス信号は、窓ガラス１１の所定移動量毎もしくはモータ２０の所定回転角毎に出力される。これにより、回転検出装置２７は、モータ２０の回転速度に略比例する窓ガラス１１の移動に応じた信号を出力可能である。そして、回転検出装置２７からのパルス信号から、制御手段３がパルスエッジをカウントし、パルスカウント値より窓ガラス１１の位置を検出している。本実施形態では、回転検出装置２７と制御手段３によって位置検出手段が構成されている。
【００２７】
なお、本実施形態では、回転検出装置２７にホール素子を用いたものを採用しているが、これに限らず、モータ２０の回転を検出することができれば、エンコーダを採用してもよい。また、本実施形態では、窓ガラス１１の移動に応じたモータ２０の出力軸の回転を検出するために、モータ２０に回転検出装置２７を一体に設けているが、これに限らず、公知の手段によって窓ガラス１１の位置を直接的に検出するようにしてもよい。
【００２８】
本実施形態の制御手段３は、コントローラ３１と、駆動回路３２から構成されている。コントローラ３１，駆動回路３２には、車両に搭載されるバッテリ５から作動に必要な電力が供給される。
本実施形態のコントローラ３１は、ＣＰＵ，ＲＯＭ，ＲＡＭ等のメモリ、入力回路、出力回路等を備えるマイクロコンピュータで構成されている。ＣＰＵは、メモリ、入力回路及び出力回路とバスを介して互いに接続されている。なお、これに限らず、コントローラ３１をＤＳＰやゲートアレイで構成してもよい。
【００２９】
コントローラ３１は、通常時、操作スイッチ４からの操作信号に基づいて駆動回路３２を介してモータ２０を正逆回転させて、窓ガラス１１を開閉動作させる。また、コントローラ３１は、回転検出装置２７から受け取ったパルス信号に基づいて窓ガラス１１の位置を検出し、窓ガラス１１の検出位置に応じて駆動回路３２を介してモータ２０へ供給する駆動電力の大きさを調整する。具体的には、駆動電圧の大きさまたはＰＷＭ制御する場合はデューティー比の大きさを調整する。これによりモータ出力を調整している。
【００３０】
本実施形態の駆動回路３２は、ＦＥＴを有するＩＣによって構成されており、コントローラ３１からの入力信号に基づいて、モータ２０への電力供給の極性を切換えている。すなわち、駆動回路３２は、コントローラ３１から正回転指令信号を受けたときは、モータ２０を正回転方向に回転させるようにモータ２０へ電力を供給し、コントローラ３１から逆回転指令信号を受けたときは、モータ２０を逆回転方向に回転させるようにモータ２０へ電力を供給する。また、コントローラ３１から回転停止指令信号を受けたときは、モータ２０への電力供給を停止する。なお、駆動回路３２は、リレー回路を用いて極性を切換えるように構成してもよい。また、駆動回路３２がコントローラ３１内に組み込まれた構成であってもよい。
【００３１】
コントローラ３１は、入力されるパルス信号からパルス信号の立上がり部，立下がり部（パルスエッジ）を検出し、このパルスエッジの間隔（周期）に基づいてモータ２０の回転速度（回転周期）を算出すると共に、各パルス信号の位相差に基づいてモータ２０の回転方向を検出する。つまり、コントローラ３１は、モータ２０の回転速度（回転周期）に基づいて窓ガラス１１の移動速度を間接的に算出し、モータ２０の回転方向に基づいて窓ガラス１１の移動方向を特定している。また、コントローラ３１は、パルスエッジをカウントしている。このパルスカウント値は、窓ガラス１１の開閉動作に伴って加減算される。コントローラ３１は、このパルスカウント値の大きさによって窓ガラス１１の開閉位置を特定する。
【００３２】
すなわち、本実施形態では、全閉位置Ｘ１を基準位置として窓ガラス１１を駆動することができる。全閉位置Ｘ１を基準位置とする場合には、全閉位置Ｘ１でパルスカウント値が「０」となるように設定される。そして、このように基準位置でパルスカウント値が「０」となるように設定した後、作動領域（作動区間）の一端側、例えば全開位置Ｘ２方向へ窓ガラス１１が移動しているときはパルス信号を受け取る毎にパルスカウント値を１インクリメントし、作動領域の他端側すなわち全閉位置Ｘ１方向へ窓ガラス１１が移動しているときはパルス信号を受け取る毎にパルスカウント値を１デクリメントする。
なお、全開位置Ｘ２を基準位置として窓ガラス１１を駆動してもよい。この場合には、全開位置Ｘ２でパルスカウント値が「０」となるように設定されると共に、全閉位置Ｘ１方向へ窓ガラス１１が移動しているときにパルスカウント値がインクリメントされ、全開位置Ｘ２方向へ窓ガラス１１が移動しているときにパルスカウント値がデクリメントされるようにすればよい。
【００３３】
本実施形態の操作スイッチ４は、２段階操作可能な揺動型スイッチ等で構成され、開スイッチ，閉スイッチ及びオートスイッチを有している。この操作スイッチ４を乗員が操作することにより、コントローラ３１へ窓ガラス１１を開閉動作させるための指令信号が出力される。
具体的には、操作スイッチ４は、一端側へ１段階操作されると開スイッチがオンされ、窓ガラス１１を通常開動作（すなわち操作している間だけ開動作）させ、開放方向へ作動させるための通常開指令信号をコントローラ３１へ出力する。また、操作スイッチ４は、他端側へ１段階操作されると閉スイッチがオンされ、窓ガラス１１を通常閉動作（すなわち操作している間だけ閉動作）させるための通常閉指令信号をコントローラ３１へ出力する。
【００３４】
また、操作スイッチ４は、一端側へ２段階操作されると開スイッチ及びオートスイッチが共にオンされ、窓ガラス１１をオート開動作（すなわち操作を止めても全開位置Ｘ２の直前位置まで開動作）させ、開放方向へ作動させるためのオート開指令信号をコントローラ３１へ出力する。また、操作スイッチ４は、他端側へ２段階操作されると閉スイッチ及びオートスイッチが共にオンされ、窓ガラス１１をオート閉動作（すなわち操作を止めても全閉位置Ｘ１の直前位置まで閉動作）させるためのオート閉指令信号をコントローラ３１へ出力する。
【００３５】
コントローラ３１は、操作スイッチ４から通常開指令信号を受けている間中（操作スイッチ４が操作されている間中）、駆動回路３２を介してモータ２０を駆動し、窓ガラス１１を通常開動作させる。一方、コントローラ３１は、操作スイッチ４から通常閉指令信号を受けている間中（操作スイッチ４が操作されている間中）、駆動回路３２を介してモータ２０を駆動し、窓ガラス１１を通常閉動作させる。
また、コントローラ３１は、操作スイッチ４からオート開指令信号を受けると、駆動回路３２を介してモータ２０を駆動し、窓ガラス１１を全開位置Ｘ２の直前位置までオート開動作させる。一方、コントローラ３１は、操作スイッチ４からオート閉指令信号を受けると、駆動回路３２を介してモータ２０を駆動し、窓ガラス１１を全閉位置Ｘ１の直前位置までオート閉動作させる。
【００３６】
本実施形態におけるコントローラ３１は、窓ガラス１１を開作動（通常開作動及びオート開作動）させているとき、窓ガラス１１による巻き込みの有無を監視している。すなわち、巻き込みが生じると、窓ガラス１１の移動速度（下降速度）およびこれに関連してモータ２０の回転速度が低下する（回転周期が長くなる）。このため本実施形態のコントローラ３１は、モータ２０の回転速度の変動を常時監視している。
本実施形態のコントローラ３１では、このモータ２０の回転速度（すなわち窓ガラス１１の下降速度）の変動に基づいて、窓ガラス１１とベルトモール１３，１４の間で、まず巻き込みの開始を検出し、次いで巻き込みの開始が検出されてから回転速度が所定量変動したことを検出した場合に、巻き込みと判定（確定）する。
【００３７】
そして、巻き込みを確定した場合には、コントローラ３１は、窓ガラス１１とベルトモール１３，１４との間に巻き込まれた異物を解放すべく、すなわち巻き込みの進行を止める作動をするために、モータ２０への電力の供給を制御してモータ２０の作動を停止または反転させ、窓ガラス１１の開動作（下降）を停止させるかまたは窓ガラス１１を所定距離（所定量）だけ閉動作（上昇）させる（巻き込み解除処理）。
巻き込みを検出（確定）したときに単純にモータ２０の作動を反転させて窓ガラス１１を上昇させると、窓ガラス１１と窓枠１２の上部との間の挟み込みが発生する可能性があるため、本実施形態では、巻き込みを検出（確定）したときの窓ガラス１１の位置に応じて巻き込み対応作動（巻き込み解除処理）を区別して制御する。なお、上述したように、コントローラ３１は、パルスカウント値の大きさによって窓ガラス１１の位置を特定する。
【００３８】
例えば、本実施形態では、図１に示すように、窓ガラス１１の作動領域（作動区間）を所定位置Ｙで２つの領域に分割し、窓ガラス１１の開口量が小さい領域Ａと窓ガラス１１の開口量が大きい領域Ｂに区分している。
そして、巻き込みが検出されたときに窓ガラス１１の位置が領域Ａである場合、すなわち所定位置Ｙよりも全閉位置Ｘ１側に位置している場合には、窓ガラス１１の開口量が小さいため、巻き込まれの程度が浅く、また窓ガラス１１を上昇させることにより他の異物が窓ガラス１１と窓枠１２の間に挟まれる２次被災の虞があると予測されるため、モータ２０の作動を停止させて窓ガラス１１を停止させるのみにとどめる。
【００３９】
一方、巻き込みが検出されたときに窓ガラス１１の位置が領域Ｂである場合、すなわち所定位置Ｙよりも全開位置Ｘ２側に位置している場合には、窓ガラス１１の開口量が大きいため、巻き込まれの程度が深く、また窓ガラス１１を小さく上昇させても他の異物が窓ガラス１１と窓枠１２の間に挟まれる２次被災の虞がないため、モータ２０の作動を停止させて窓ガラス１１を停止後、モータ２０を逆転作動させて窓ガラス１１を小さく反転上昇させる。このとき、窓ガラス１１を反転上昇させるための所定量の逆転駆動距離Ｌ１を予め設定しておくが、この予め設定されている逆転駆動距離Ｌ１に到達しない場合でも、開放（下降）開始位置Ｐ０に到達した時点でモータ２０の反転駆動を停止させると、より安全性を確保することができる。
【００４０】
次に、図４に基づいて、本実施形態の装置１における巻き込み判定の概略処理について説明する。本実施形態のパワーウインドウ装置１では、コントローラ３１は、回転検出装置２７から受け取るパルス信号に基づいて、モータ２０の回転速度ωを算出し、算出した回転速度ωをＲＡＭに記憶させる。図４（Ａ）は、このようにして算出された回転速度ωの変動状況を表している。図４（Ａ）の縦軸はモータ回転速度，横軸はパルスカウント数に対応する。図４（Ａ）の例は、モータ２０の回転速度ωが巻き込みにより途中から減速している状況である。データ線Ａ１は、硬いものを巻き込んで回転速度ωが大きな減速率で低下している状況を示しており、データ線Ｂ１は、軟らかいものを巻き込んで回転速度ωが小さな減速率で低下している状況を示している。なお、図４（Ｂ），（Ｃ）では、データ線Ａ２，Ａ３が硬いものを巻き込んだ場合に対応しており、データ線Ｂ２，Ｂ３が軟らかいものを巻き込んだ場合に対応している。
【００４１】
そして、本実施形態の装置１では、移動速度変動値演算を不図示のＣＰＵで行うが、この回転速度ωのデータに基づいて、現在の回転速度ωと数パルスエッジ前の回転速度ωとの差である回転速度差Δωを算出する。すなわち、数パルスエッジ前の回転速度ωに対する現在の回転速度ωの変動値を算出する。回転速度差Δωは、回転速度（移動速度）の変化率に相当する（もしくは、数パルスエッジ前からの回転速度の変化量または変化分に相当する）。図４（Ｂ）は、この回転速度差Δωの変動状況を表している。なお、図４（Ａ）では、データ線Ａ１の方がデータ線Ｂ１と比べて、回転速度差Δωの絶対値が大きくなっていることが分かる。
【００４２】
そして、まず、巻き込みの開始を検出する巻き込み検出手段としてのコントローラ３１は、このようにして算出した回転速度差Δωが変動判定しきい値αを超えたか否かを判定する。この変動判定しきい値αを超えると、巻き込みが開始したと判定される。図４（Ｂ）では、点Ｐ１，点Ｐ２でそれぞれ巻き込みの開始が検出される。しかし、この時点では、巻き込みが確定したわけではないので、モータ２０は回転を継続し、窓ガラス１１は下降（開作動）を続ける。この変動判定しきい値αは、装置１が、たとえ軟らかいもの（例えばベルトモールのリップ部分など）を巻き込んだ場合においても、これによって生じる回転速度差Δωがこの値を超えるような大きさに設定される。
【００４３】
このようにして、一旦、巻き込みの開始が検出されると、装置１では、巻き込み確定を行うコントローラ３１は、この時点からの回転速度差Δωの累積値（すなわち、回転速度ωの変化量）が、巻き込み判定しきい値βを超えたか否かを判別する。そして、回転速度ωの変化量が、巻き込み判定しきい値βを超えた場合に、巻き込みが検出（確定）される。図４（Ｃ）は、回転速度差Δωの累積値の変動状況を表している。コントローラ３１は、累積値が巻き込み判定しきい値βを超えた場合に、巻き込みと判定（確定）する。
【００４４】
なお、上述のように、巻き込みの開始が検出されてからの回転速度差Δωの累積値（すなわち、回転速度ωの変化量）が、巻き込み判定しきい値βを超えた場合に、巻き込みを検出（確定）するのに換えて、巻き込みの開始が検出されてからの所定期間の回転速度差Δωの累積値、または所定数個分の回転速度差Δωの累積値（すなわち、これらの場合は回転速度ωの変化率）が、巻き込み判定しきい値βを超えた場合に、巻き込みを検出（確定）するように構成してもよい。
【００４５】
以上のように、本実施形態の装置１では、２つのしきい値が設定されているが、一方の変動判定しきい値αは回転速度差Δωに対して設定されており、他方の巻き込み判定しきい値βは回転速度ωの変化量（回転速度差Δωの総和）に対して設定されており、これらは判定対象が異なる。
そして、本実施形態の装置１では、回転速度差Δωが変動判定しきい値αを超えた後の継続時間やパルス信号数等によって実際に巻き込みが発生したと確定されるのではなく、回転速度差Δωが変動判定しきい値αを超えた後の回転速度ωの変動量によって巻き込みが確定される。
【００４６】
したがって、本実施形態の装置１では、異物を巻き込んだ場合に、巻き込み荷重が大きくなり過ぎることがないので、巻き込んだ異物に損傷を与えることなく、巻き込みを確定することができる。
また、本実施形態の装置１では、軟らかいものを巻き込んだ場合にでも、回転速度差Δωは、比較的早い段階で変動判定しきい値αを超えるので、その後の変化量が巻き込み判定しきい値βを超えた時点で巻き込みが確定される。この場合、巻き込んだものが、例えばベルトモールのリップ部分などは軟らかいため、回転速度差Δωが小さな値（絶対値としては大きな値）とならないが、一旦、変動判定しきい値αを超えれば、回転速度差Δωの累積が開始されるので、この累積値が巻き込み判定しきい値βを超えた時点で確実に巻き込みを確定することができる。
【００４７】
また、中程度の硬さのものを巻き込んだ場合にも、軟らかいものを巻き込んだ場合と同様に、早い段階で回転速度差Δωが変動判定しきい値αを超えて、回転速度差Δωの累積が開始されるので、この値が巻き込み判定しきい値βを超えた時点で確実に巻き込みを確定することができる。
このように、本実施形態の装置１では、巻き込んだものの硬さ軟らかさによらず、低荷重で確実に巻き込みを確定することができる。
【００４８】
また、窓ガラス１１が移動する際には、巻き込みがなくても摺動抵抗や外的要因によって、モータ２０の回転速度は影響を受ける。このような影響によって、仮に回転速度差Δωが変動判定しきい値αを超えた場合でも、その後に回転速度差Δωの累積値が巻き込み判定しきい値βを超えなければ巻き込みが確定されることがないので、変動判定しきい値αを軟らかいものを巻き込んだとき用の値に設定しても、誤判定を起こすことがなく、むしろ巻き込みの開始を確実に検出することができる。
【００４９】
次に、図５に基づいて、本実施形態のコントローラ３１の巻き込み判定処理について説明する。
本実施形態のコントローラ３１は、まず、回転検出装置２７から受け取ったパルス信号に基づいて、モータ２０の回転速度データの更新を行う（ステップＳ１）。具体的には、コントローラ３１は、まず回転検出装置２７から受け取ったパルス信号を信号処理してパルスエッジを検出する。そして、パルスエッジを検出する毎に、前回検出されたパルスエッジと今回検出されたパルスエッジとのパルス幅（時間間隔）Ｔを算出してメモリ内に順次格納していく。
【００５０】
本実施形態では、パルス幅Ｔは、新たなパルスエッジが検出される度に順送りに更新されていき、最新の４つのパルス幅Ｔ（０）〜Ｔ（３）が記憶される。すなわち、パルスエッジが検出されると、新たにパルス幅Ｔ（０）を算出すると共に、前回のパルス幅Ｔ（０）〜Ｔ（２）を１ずらして、それぞれパルス幅Ｔ（１）〜Ｔ（３）として記憶し、前回のパルス幅Ｔ（３）を消去する。
【００５１】
そして、コントローラ３１は、時間的に連続するｎ個のパルスエッジのパルス幅Ｔの総和（パルス周期Ｐ）の逆数から回転速度ωを算出する。この回転速度ωは実際の回転速度に比例する値である。
本実施形態では、現パルスエッジから４パルスエッジ前までのパルス幅Ｔ（０）〜Ｔ（３）によって（平均）回転速度ω（０）が算出される。そして、次のパルスエッジを検出すると、新たに算出されたパルス幅Ｔ（０）〜Ｔ（３）によって回転速度ω（０）が更新される。このとき、前回の回転速度ω（０）は回転速度ω（１）として記憶される。このようにして、コントローラ３１内には、パルスエッジを検出する度に（所定移動量毎にまたは所定回転角毎に）更新される最新の８つの回転速度ω（０）〜ω（７）が常時記憶される。このように、複数のパルス幅Ｔによって回転速度ωを算出することにより、受信する各パルス信号出力のセンサーＤｕｔｙのばらつきを相殺し、誤差変動分が相殺された回転速度を算出することができる。
【００５２】
次に、コントローラ３１は、この回転速度ωから（平均）回転速度差（回転速度変化率）Δωを算出する（ステップＳ２）。具体的には、回転速度ω（０）〜ω（３）を現ブロックデータ、回転速度ω（４）〜ω（７）を前ブロックデータとし、それぞれのブロック内データの和を差し引く処理を行っている。すなわち、回転速度差Δωは、回転速度ω（４）〜ω（７）の和から回転速度ω（０）〜ω（３）の和を引くことにより算出され、パルスエッジを検出する度に（所定移動量毎にまたは所定回転角毎に）更新されていく。なお、算出された値を加算したデータ数（本実施形態では４）で除してもよい。このように、複数の回転速度ωによって回転速度差Δωを算出することにより、回転速度ω間の位相差を相殺することができる。
【００５３】
そして、本実施形態のコントローラ３１は、窓ガラス１１の所定位置を基準として、算出された回転速度差Δωを加算していく（ステップＳ３）。回転速度差Δωが算出される毎にこれを累積していくことによって、基準位置に対する回転速度ωの差が算出される。
次に、算出された回転速度差Δωが外乱判定しきい値γを正側に超えているか否かが判別される（ステップＳ４）。車両が段差に乗り上げたり、窓ガラス１１が閉められたりすると、このような外乱によって窓ガラス１１に衝撃が加わり、その結果、モータ２０の回転速度に影響が及ぶ場合がある。本実施形態では、この処理により外乱によって巻き込みを誤検出してしまうことを防止している。
【００５４】
図６に示すように、外乱が加わると、回転速度差Δωは、通常、正負に大きな値をとる。正側に回転速度差Δωが振れることは、窓ガラス１１を開く方向にモータ２０の回転が加速されることを意味し、反対に、負側に回転速度差Δωが振れることは、モータ２０の回転が減速されることを意味する。負側に回転速度差Δωが振れることは、巻き込みを擬似するものとなる。ここで、外乱判定しきい値γは、正側に設定された値であり、本実施形態のコントローラ３１では、回転速度差Δωがこの外乱判定しきい値γを正側に超えた場合は、外乱が生じたものと判定する。
【００５５】
外乱が生じたと判定された場合（ステップＳ４；有）、コントローラ３１は、巻き込み判定しきい値βを負側に増大させた後（ステップＳ７）、ステップＳ８へ移行する。これにより、引き続いて、外乱によって負側に回転速度差Δωが振れて、巻き込みの開始が検出されたとしても、その後の回転速度差Δωの累積値が増大された巻き込み判定しきい値βを超えることがないので、巻き込みの誤判定を防止することができる。なお、本実施形態では、外乱判定しきい値γが変動判定しきい値αと無関係に設定されているが、例えば、外乱判定しきい値γを変動判定しきい値αの正負を反対にした値に設定してもよい。
【００５６】
ステップＳ４で外乱が生じたと判定されなかった場合（ステップＳ４；無）、コントローラ３１は、巻き込み開始の判定処理を行う（ステップＳ５）。具体的には、回転速度差Δωが変動判定しきい値αを負側に超えた場合は巻き込みの開始と判定され、超えていない場合は巻き込みの開始と判定しない。
巻き込みの開始と判定された場合（ステップＳ５；有）、ステップＳ８へ移行する。一方、巻き込みの開始と判定されなかった場合（ステップＳ５；無）、ステップＳ６で回転速度差Δωの累積値と巻き込み判定しきい値βへの初期値の設定が行われる。具体的には、ステップＳ３で算出された回転速度差Δωの累積値が、回転速度ωの初期変化量Ｓ０にセットされると共に、巻き込み判定しきい値βが増大されていない通常値に戻される。このように、外乱期間が終了したと判定されると、巻き込み判定しきい値βが通常値に戻され、通常の処理が行われる。
【００５７】
そして、ステップＳ８では、回転速度ωの変化量Ｓの演算処理が行われる。具体的には、コントローラ３１は、巻き込み開始と判定される直前にステップＳ６でセットされた回転速度ωの初期変化量Ｓ０（回転速度差Δωの累積値）からステップＳ３で算出された回転速度差Δωの累積値を差し引いて、巻き込み開始以降の回転速度ωの変化量Ｓ（回転速度差Δωの累積値）を算出する。これにより、巻き込みによる回転速度の変化分（すなわち、巻き込み荷重分）を確実に算出することができる。
【００５８】
なお、本実施形態では、基準値からの変化量の差を算出して、巻き込み開始以降の回転速度ωの変化量を算出しているが、これに限らず、巻き込み開始が検出されないときには、回転速度差Δωの累積値を初期化し、巻き込み開始が検出されたときには、初期化しないようにして、巻き込み開始検出以降の分についてのみ回転速度差Δωを累積して、これにより回転速度ωの変化量を算出してもよい。
【００５９】
次に、コントローラ３１は、ステップＳ８で算出された回転速度ωの変化量Ｓが巻き込み判定しきい値βを超えたか否かを判定する（ステップＳ９）。
回転速度ωの変化量Ｓが巻き込み判定しきい値βを超えたと判断された場合（ステップＳ９；有）、巻き込み解除処理（ステップＳ１０）を行い、処理を終了する。
一方、回転速度ωの変化量Ｓが巻き込み判定しきい値βを超えていないと判断された場合（ステップＳ９；無）は、処理をそのまま終了する。
【００６０】
次に、図７に基づいて、巻き込み解除処理（ステップＳ１０）について説明する。
図５で示す巻き込み判定処理のステップＳ９で巻き込み有りと判断されたとき、すなわち、巻き込みと確定した場合に、この巻き込み解除処理が実行され、コントローラ３１が窓ガラス１１とベルトモール１３，１４の間の異物の巻き込みの進行を止める作動を行うために、モータ２０への電力の供給を制御する。
なお、窓ガラス１１の作動領域の領域Ａ及び領域Ｂの位置（領域Ａと領域Ｂの境界線である所定位置Ｙの位置）は予めパルスカウント値と対応する値として設定されている。また、巻き込み検出時のモータ２０を逆転駆動させる所定の距離が逆転駆動距離Ｌ１として予めパルスカウント値と対応する値で設定されている。これらの設定値は、ＲＯＭ等のメモリに記憶されている。さらに、コントローラ３１は、窓ガラス１１が開作動されたときの開放（下降）開始位置Ｐ０を、ＲＡＭ等のメモリに記憶している。
【００６１】
コントローラ３１は、まず、巻き込みを確定したときのパルスカウント値に基づいて、巻き込みを確定したときの窓ガラス１１の位置である巻き込み検出位置Ｐ１を特定し、巻き込み検出位置Ｐ１が図１にする領域Ａに位置しているか、それ以外に位置しているかを判定する（ステップＳ１１）。
巻き込み検出位置Ｐ１が領域Ａに位置していると判定された場合、すなわち所定位置Ｙよりも全閉位置Ｘ１側に位置している場合（ステップＳ１１；Ｙｅｓ）、ステップＳ１４へ移行して、コントローラ３１はモータ２０への電力の供給を停止する制御を行い、モータ２０の駆動を停止して窓ガラス１１の開作動を停止し、図５で示す巻き込み判定処理に戻る。
【００６２】
一方、巻き込み検出位置Ｐ１が領域Ａ以外（すなわち領域Ｂ）に位置していると判定された場合、すなわち所定位置Ｙよりも全開位置Ｘ２側に位置している場合（ステップＳ１１；Ｎｏ）、コントローラ３１はモータ２０の駆動を一旦停止した後、逆転駆動（上昇駆動）するようにモータ２０への電力の供給を制御して、窓ガラス１１を上昇させる（ステップＳ１２）。
【００６３】
その後、窓ガラス１１の上昇距離が逆転駆動距離Ｌ１に達したか、または窓ガラス１１が開放（下降）開始位置Ｐ０に到達したかを判定する（ステップＳ１３）。何れにも該当しない場合（ステップＳ１３；Ｎｏ）、ステップＳ１２に戻って逆転駆動を行い、ステップＳ１３で何れかの条件に該当するまで逆転駆動の処理を繰り返す。
窓ガラス１１の上昇距離が逆転駆動距離Ｌ１に達したか、または窓ガラス１１が開放（下降）開始位置Ｐ０に到達したかの少なくとも何れか一方に該当する場合（ステップＳ１３；Ｙｅｓ）、コントローラ３１はモータ２０への電力の供給を停止する制御を行い、モータ２０の駆動を停止して窓ガラス１１の開作動を停止し、図５で示す巻き込み判定処理に戻る。このように、逆転駆動距離Ｌ１に到達しない場合でも開放開始位置Ｐ０に到達した場合は反転駆動を停止することで、より安全性を確保することができる。
【００６４】
上述したように、本発明によれば、窓ガラス１１の開作動時に窓ガラス１１とベルトモール１３，１４との間の異物の巻き込みを検出し、窓ガラス１１の開作動（下降）を停止または窓ガラス１１を所定量だけ閉作動（上昇）させるよう制御することにより、異物が損傷することを防止することができる。また、ベルトモール１３，１４自体の巻き込みを検出することが可能となり、ユーザにシステムの異常を気付かせ、ベルトモール１３，１４の交換等を促すことができるため、システムのさらなる異常（異音発生，作動速度低下等）を未然に防止することができる。
【００６５】
また、本発明では、窓ガラス１１とベルトモール１３，１４との間の異物の巻き込みを検出したときの窓ガラス１１の位置に応じて、異なった有効な巻き込み対応作動（巻き込み解除処理）を行うことにより、窓ガラス１１上昇時の窓枠１２との挟み込みを効果的に防止することができる。
【００６６】
なお、上記実施形態では、巻き込み検出時の窓ガラス１１の位置が領域Ａの場合には、窓ガラス１１を停止制御するようにし、領域Ｂの場合に反転駆動制御するようにしたが、巻き込み検出時は窓ガラス１１の作動全領域において窓ガラス１１を停止させるように、電力の供給を停止する制御を行うようにしてもよい。
また、巻き込み検出時は窓ガラス１１の作動全領域において窓ガラス１１をごく僅かに反転上昇させるように電力の供給を行うよう制御してもよい。
【００６７】
さらに、上記実施形態では、巻き込み検出時の窓ガラス１１の位置が領域Ｂの場合には、窓ガラス１１の移動を停止後、小さく上昇させるように制御しているが、窓ガラス１１の移動停止後は、操作スイッチ４に窓ガラス１１を開放方向に作動させる操作が行われた場合に、窓ガラス１１が開放方向へ作動するように駆動手段２への電力供給を制御する構成とすることもできる。
【００６８】
また、上記実施形態では、変動判定しきい値α，巻き込み判定しきい値β，外乱判定しきい値γを窓ガラス１１の位置によらず一定の値としていたが、これに限らず、窓ガラス１１の位置によって変動させるように設定してもよい。
また、上記実施形態では、車両のパワーウインドウ装置１として説明したが、パワーウインドウ装置には、サンルーフ開閉装置やスライドドア開閉装置等の開閉部材を開閉駆動する装置全般に適用できるものである。
【符号の説明】
【００６９】
１‥パワーウインドウ装置（装置）、２‥駆動手段、３‥制御手段、４‥操作スイッチ、
５‥バッテリ、１０‥ドア、１１‥窓ガラス、１２‥窓枠、
１３‥アウタモール（ベルトモール）、１３ａ，１３ｂ‥シール突起、
１４‥インナモール（ベルトモール）、１４ａ，１４ｂ‥シール突起、
１５‥アウタパネル、１６‥インナパネル、
２０‥モータ、２１‥昇降アーム、２１ａ‥ギヤ、２２‥従動アーム、
２３‥固定チャンネル、２４‥ガラス側チャンネル、
２７‥回転検出装置、３１‥コントローラ、３２‥駆動回路
【図１】
0005632157.tif 000002
【図２】
0005632157.tif 000003
【図３】
0005632157.tif 000004
【図４】
0005632157.tif 000005
【図５】
0005632157.tif 000006
【図６】
0005632157.tif 000007
【図７】
0005632157.tif 000008